(57)【要約】      （修正有）【課題】特にスーツケース用の調整可能なバックルを提供する。【解決手段】メス部材１０及びオス部材２０を有し、メス部材１０は、一端に前端開口が、他端に末端開口１６が形成され、上部に第一板体が、下部に第二板体が設けられ、第一板体に押しボタンが設置され、第二板体における、押しボタンに対応する箇所に弾性移動可能な舌部が設けられ、舌部の上面両側にそれぞれ位置きめ凸部が設けられ、また、オス部材２０は、摺動可能にメス部材１０に挿し込まれ、一端にメス部材１０の前端開口から突出する引き部が設けられ、他端、即ち引き部の前端開口側から２本のアームが間隔をおいて延設され、各アームに複数の位置きめ穴が形成され、その内、舌部の位置きめ凸部が、それぞれ対応するアームにおける１つの位置きめ穴に係合されるものである。【選択図】図１
0003197067.tif 000002
【実用新案登録請求の範囲】
【請求項１】
一端に前端開口が、他端に末端開口が形成され、上部に第一板体が、下部に第二板体が設けられ、該第一板体に押しボタンが設置され、該第二板体における、押しボタンに対応する箇所に弾性移動可能な舌部が設けられ、該舌部の上面両側にそれぞれ位置きめ凸部が設けられるメス部材と、
摺動可能に前記メス部材に挿し込まれ、一端に該メス部材の前端開口から突出する引き部が設けられ、他端、即ち該引き部の前端開口側から２本のアームが間隔をおいて延設され、該各アームに複数の位置きめ穴が形成されるオス部材とを有し、
その内、前記舌部の位置きめ凸部が、それぞれ対応するアームにおける１つの位置きめ穴に係合されることを特徴とする調整可能なバックル。
【請求項２】
前記押しボタンの裏面の前端開口側に第二板体に向かって押圧凸部が凸設され、
前記舌部の上面における、押圧凸部と対応する箇所に受け凸部が凸設され、該受け凸部が２本のアームの間に位置することを特徴とする請求項１に記載の調整可能なバックル。
【請求項３】
前記第一板体の押圧凸部の両側にそれぞれ、１対の第一レールが前端開口及び末端開口と連通するように形成され、
前記第二板体の舌部の両側にそれぞれ、第二レールが前端開口及び末端開口と連通するように凹設され、
前記２本のアームの間に収容空間が形成され、
前記各アームの上面の位置きめ穴の両側にそれぞれ、前記第一レールと対応する第一リブが凸設されると共に、底面に、前記第二レールに対応する第二リブが凹設されることを特徴とする請求項１または２に記載の調整可能なバックル。
【請求項４】
前記各位置きめ凸部の前端開口側に傾斜面が設けられると共に、末端開口側に垂直面が設けられることを特徴とする請求項１乃至３の何れか１項に記載の調整可能なバックル。
【請求項５】
前記引き部に引き穴が形成されることを特徴とする請求項４に記載の調整可能なバックル。
【考案の詳細な説明】
【技術分野】
【０００１】
本考案は、特にスーツケース用の調整可能なバックルに関するものである。
【背景技術】
【０００２】
スーツケースは、旅行用バックの一種であり、服やトイレタリーなどの荷物を収納して搬送するためのものである。従来のスーツケースは、木材などの重い材質からなり、持ち運びが面倒で実用性に劣ることから、その後に、プラスチックや布などの軽量の材質からなるスーツケースが開発された。また、材質によって、ソフトキャリーバッグやハードキャリーバッグなどがあり、その内、ソフトキャリーバッグは、軽くて持ち運びに便利であり、一方、ハードキャリーバッグは、丈夫であることから、荷物をしっかりと保護することができる。
【考案の概要】
【考案が解決しようとする課題】
【０００３】
しかしながら、既存のハードキャリーバッグは、体積が大きく、内部に少量の荷物しか入れない時は、内部に隙間が生じ、搬送時に、内部の荷物がぶつかって壊れてしまう虞がある。
【課題を解決するための手段】
【０００４】
本考案に係る調整可能なバックルは、一端に前端開口が、他端に末端開口が形成され、上部に第一板体が、下部に第二板体が設けられ、該第一板体に押しボタンが設置され、該第二板体における、押しボタンに対応する箇所に弾性移動可能な舌部が設けられ、該舌部の上面両側にそれぞれ位置きめ凸部が設けられるメス部材と、
摺動可能に前記メス部材に挿し込まれ、一端に該メス部材の前端開口から突出する引き部が設けられ、他端、即ち該引き部の前端開口側から２本のアームが間隔をおいて延設され、該各アームに複数の位置きめ穴が形成されるオス部材とを有し、
その内、前記舌部の位置きめ凸部が、それぞれ対応するアームにおける１つの位置きめ穴に係合されるものである。
【０００５】
かかる調整可能なバックルにおいて、前記押しボタンの裏面の前端開口側に第二板体に向かって押圧凸部が凸設され、
前記舌部の上面における、押圧凸部と対応する箇所に受け凸部が凸設され、該受け凸部が２本のアームの間に位置することが好ましい。
【０００６】
かかる調整可能なバックルにおいて、前記第一板体の押圧凸部の両側にそれぞれ、１対の第一レールが前端開口及び末端開口と連通するように形成され、
前記第二板体の舌部の両側にそれぞれ、第二レールが前端開口及び末端開口と連通するように凹設され、
前記２本のアームの間に収容空間が形成され、
前記各アームの上面の位置きめ穴の両側にそれぞれ、前記第一レールと対応する第一リブが凸設されると共に、底面に、前記第二レールに対応する第二リブが凹設されることが好ましい。
【０００７】
かかる調整可能なバックルにおいて、前記各位置きめ凸部の前端開口側に傾斜面が設けられると共に、末端開口側に垂直面が設けられることが好ましい。
【０００８】
かかる調整可能なバックルにおいて、前記引き部に引き穴が形成されることが好ましい。
【考案の効果】
【０００９】
本考案に係る調整可能なバックルによれば、メス部材とオス部材との距離を調整することによって、スーツケースの調整部を調整して内部空間を自由に調整し、使用者自らが荷物の量によって、スーツケースを適当なサイズに調整できることから、荷物をスーツケース内において隙間なくぴったりと収納できるので、搬送や上げ下ろしなどをしても荷物が壊れることはない。
【図面の簡単な説明】
【００１０】
【図１】本考案に係る調整可能なバックルの斜視図である。
【図２】本考案に係る調整可能なバックルの部分分解斜視図である。
【図３】本考案に係る調整可能なバックルの下面視部分分解斜視図である。
【図４】本考案に係る調整可能なバックルにおけるメス部材の部分断面斜視図である。
【図５】本考案に係る調整可能なバックルにおけるメス部材の側面視断面図である。
【図６】本考案に係る調整可能なバックルにおけるメス部材の後面視断面図である。
【図７】本考案に係る調整可能なバックルをスーツケースに装着した状態を示す透明図である。
【図８】本考案に係る調整可能なバックルを調整してスーツケースの内部空間を大きくした状態を示す透明図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図７に示すように、本考案に係る調整可能なバックルは、スーツケース３０の内周面に装着されるものであり、メス部材１０及びオス部材２０を有する。
【００１３】
図１乃至図３に示すように、前記メス部材１０は、中空状を呈する、一体成形のかぶせ部であり、一端に前端開口１５が、他端に末端開口１６が形成され、また、上部に第一板体が、下部に第二板体が設けられる。
前記メス部材１０は、押しボタン１１と、対である２つの第一レール１２と、舌部１３と、２本の第二レール１４を備え、その内、該押しボタン１１は、第一板体の前端開口１５の近傍に設置され、裏面の前端開口１５側に押圧凸部１１１が第二板体に向かって凸設され、該対である各第一レール１２はそれぞれ、前端開口１５及び末端開口１６と連通するように、第一板体の押圧凸部１１１の両側に形成され、また、該対の各第一レール１２は、２本の細長型の溝部を含み、それらの溝部は、互いに平行するように第一板体の裏面に凹設される。
【００１４】
図４に示すように、前記舌部１３は、第二板体の前端開口１５側に設けられ、第二板体との間にＵ字形のスリットが形成されると共に、両側における前端開口１５と接近した一部が第二板体と一体に形成され、弾性を備えてやや下方へ弾性移動可能なプレートである。また、前記舌部１３における、上面の押圧凸部１１１と対応する箇所に受け凸部１３１が凸設され、上面の受け凸部１３１の両側にそれぞれ位置きめ凸部１３２が凸設され、さらに、該各位置きめ凸部１３２における、前端開口１５側に傾斜面１３２１が設けられ、末端開口１６側に垂直面１３２２が設けられる。
【００１５】
前記第二レール１４はそれぞれ、前端開口１５及び末端開口１６と連通するように、第二板体の舌部１３の両側に凹設され、図６に示すように、該第二レール１４は、第一レール１２と平行する細長型の溝部である。
【００１６】
図２、図３、図５に示すように、前記オス部材２０は、摺動可能にメス部材１０に挿し込まれ、一端に引き部２１が設けられると共に、他端に２本のアーム２２が設けられ、その内、該引き部２１は、メス部材１０の前端開口１５から突出するブロックであり、中央に引き穴２１１が形成され、該２本のアーム２２はそれぞれ、引き部２１の前端開口１５側から延設され、つまり、その面の両側から互いに間隔をおいて平行するように延出する。また、その２本のアーム２２の間に、受け凸部１３１と対応する収容空間２２４が形成され、該各アーム２２に長手方向に沿って複数の位置きめ穴２２１が形成され、上面の位置きめ穴２２１の両側にそれぞれ第一リブ２２２が長手方向に沿って凸設され、底面の一側に第二リブ２２３が長手方向に沿って凹設される。
【００１７】
本考案に係る調整可能なバックルにおけるオス部材２０をメス部材１０に差し込んで組み立てる時は、該オス部材２０を、第一リブ２２２を介して第一レール１２に、且つ第二リブ２２３を介して第二レール１４に対応するように、摺動可能にメス部材１０の前端開口１５から末端開口１６へ挿し込めばよい。この時、メス部材１０の受け凸部１３１が収容空間２２４に収容されると共に、両側の位置きめ凸部１３２がそれぞれ対応したアーム２２の１つの位置きめ穴２２１に係合される。
【００１８】
本考案に係る調整可能なバックルをスーツケース３０に装着して使用する時は、そのスーツケース３０における繊維や布など伸縮可能な材質からなる調整部３１を伸ばせば、スーツケース３０の内部空間を拡大させることができ、圧縮させれば、スーツケース３０の内部空間を縮小させることができることから、スーツケース３０の内部空間のサイズを簡単に調整することができる。
【００１９】
図７及び図８に示すように、本考案の調整可能なバックルをスーツケース３０に装着する時は、メス部材１０をケースベース３０に取り付け、オス部材２０をケースリンクに取り付け、オス部材２０を調整部３１を跨ぐようにメス部材１０に挿し込めばよい。
【００２０】
図７に示すように、スーツケース３０のサイズを小さくして使用する時は、オス部材２０のアーム２２を完全にメス部材１０の内部に挿し込んで調整部３１を圧縮する。一方、図３乃至図５、図８に示すように、スーツケース３０のサイズを大きくして使用する時は、メス部材１０の押しボタン１１を押圧し、押しボタン１１の押圧凸部１１１が舌部１３の受け凸部１３１に当接してやや下方へ移動し、この時、舌部１３の位置きめ凸部１３２も下方へ移動することから、位置きめ凸部１３２がオス部材２０のアーム２２の位置きめ穴２２１から脱出し、オス部材２０がメス部材１０に対して自由に移動して調整することができる。
この構成によれば、引き部２１をメス部材１０に対して外部へ引き出し、オス部材２０を適宜な位置に調整してから押しボタン１１を解放すると、それらの位置きめ凸部１３２が対応した位置きめ穴２２１に係合され、メス部材１０とオス部材２０とを所望の間隔で位置決めることができるので、スーツケース３０の内部空間のサイズを所望のサイズに調整することができる。
【符号の説明】
【００２１】
１０  メス部材
１１  押しボタン
１１１  押圧凸部
１２  第一レール
１３  舌部
１３１  受け凸部
１３２  位置きめ凸部
１３２１  傾斜面
１３２２  垂直面
１４  第二レール
１５  前端開口
１６  末端開口
２０  オス部材
２１  引き部
２２  アーム
２２１  位置きめ穴
２２２  第一リブ
２２３  第二リブ
２２４  収容空間
３０  スーツケース
３１  調整部
【図１】
0003197067.tif 000003
【図２】
0003197067.tif 000004
【図３】
0003197067.tif 000005
【図４】
0003197067.tif 000006
【図５】
0003197067.tif 000007
【図６】
0003197067.tif 000008
【図７】
0003197067.tif 000009
【図８】
0003197067.tif 000010